(57)【要約】      （修正有）【課題】舌板と端子の配置を相手プラグが容易に挿入でき易い方向にした電気コネクタを提供する。【解決手段】電気コネクタは、絶縁性本体と、複数の第１端子２と、複数の第２端子３とを備える。前記絶縁性本体は、第１絶縁性本体と、第１絶縁性本体に取り付けられる第２絶縁性本体とを含む。第１端子は、第１絶縁性本体に固持され、第１挿入部と、第１挿入部に設けられる第１接触部と、第１半田接続部とを有する。第２端子は、第２絶縁性本体に固持され、第２挿入部と、第２挿入部に設けられる第２接触部と、第２半田接続部とを有する。前記絶縁性本体には対向する第１、第２側を含む舌板１４が設けられる。前記第１端子の第１接触部２２が舌板１４の第１側から露出し、第２端子３の第２接触部３２が舌板の第１側に配置される。【選択図】図２
0003156063.tif 000002
【実用新案登録請求の範囲】
【請求項１】
相手プラグと電気接続する電気コネクタであって、
第１絶縁性本体と、前記第１絶縁性本体に取り付けられる第２絶縁性本体とを含む絶縁性本体と、
前記第１絶縁性本体に固持され、第１挿入部と、前記第１挿入部に設けられる第１接触部と、第１半田接続部とを有する複数の第１端子と、
前記第２絶縁性本体に固持され、第２挿入部と、前記第２挿入部に設けられる第２接触部と、第２半田接続部とを有する複数の第２端子と、を備え、
前記絶縁性本体には対向する第１、第２側を含む舌板が設けられ、
前記第１端子の前記第１接触部が前記舌板の前記第１側から露出し、前記第２端子の前記第２接触部が前記舌板の前記第１側に配置されることを特徴とする電気コネクタ。
【請求項２】
前記第２絶縁性本体は複数の第２挿入溝が形成される第２基部を有し、前記第２端子の前記第２挿入部が固持部と前記固持部から延在するビーム部とを有し、前記第２端子の固持部が前記第２基部の前記第２挿入溝に固持され、前記第２端子の前記ビーム部と前記第２接触部とは前記舌板の第１側に浮いた状態で配置されることを特徴とする請求項１に記載の電気コネクタ。
【請求項３】
前記舌板が前記第１絶縁性本体に配置され、前記舌板には複数の端子溝が前記第１側に形成され、前記第２端子の前記ビーム部が前記端子溝に浮いた状態で配置され、前記第２接触部が相手プラグによって前記端子溝に向かって押圧されることを特徴とする請求項２に記載の電気コネクタ。
【請求項４】
前記第２絶縁性本体の前記第２基部の後部には、前記端子溝に対応して前記第２端子の前記第２挿入部を位置決めするための複数の凹溝が形成されることを特徴とする請求項３に記載の電気コネクタ。
【請求項５】
前記第１端子の前記第１接触部と前記第２端子の前記第２接触部とは、前記舌板の異なる高度に位置するとともに、互いにオフセットしていることを特徴とする請求項１に記載の電気コネクタ。
【請求項６】
前記第１端子の前記第１挿入部が前記第１絶縁性本体にインサートモールドによって固持され、前記第１端子の前記第１接触部が平板状に形成され、前記第２端子の前記第２接触部がドーム状の弾力構造に形成されることを特徴とする請求項１に記載の電気コネクタ。
【請求項７】
前記第１絶縁性本体が前記舌板と連接する第１基部を有し、前記第１基部には凹口が形成され、前記第２絶縁性本体には前記第１絶縁性本体の前記凹口に係合する固定部が設けられることを特徴とする請求項１に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）規格に準拠した電気コネクタに関するものである。
【背景技術】
【０００２】
従来技術のＵＳＢコネクタは、絶縁性本体と、複数の第１端子と第２端子と、絶縁性本体を遮蔽するハウジングとを備える。絶縁性本体は、第１本体と、第２本体を含む。ハウジングには相手プラグを収納するための収納穴が形成される。第２本体には、前記収納穴に向かって突出する舌片が設けられる。第１、第２端子は、それぞれ固持部と、固持部の一端から延在する接触部と、固持部の他端から延在する半田接続部とを有する。第１端子が第１本体部に挿入されるとともに、第２端子が第２本体部に挿入される。第１、第２端子が絶縁性本体の舌板の対向する両側に配置される。
【先行技術文献】
【特許文献】
【０００３】
【特許文献１】台湾実用新案第３１２１００号明細書
【考案の概要】
【考案が解決しようとする課題】
【０００４】
第１、第２端子が絶縁性本体の舌板の対向する両側に配置される。第１、第２端子と電気接続する相手プラグが挿入される時、舌板の阻止によって、挿入しにくい。
【０００５】
そこで本考案は、上述の従来技術の問題に鑑み、相手プラグが容易に挿入できる電気コネクタを提供することを目的とする。
【課題を解決するための手段】
【０００６】
前記目的を達成するために、相手プラグと電気接続する本考案の電気コネクタは、絶縁性本体と、複数の第１端子と、複数の第２端子とを備える。前記絶縁性本体は、第１絶縁性本体と、第１絶縁性本体に取り付けられる第２絶縁性本体とを含む。第１端子は、第１絶縁性本体に固持され、第１挿入部と、第１挿入部に設けられる第１接触部と、第１半田接続部とを有する。第２端子は、第２絶縁性本体に固持され、第２挿入部と、第２挿入部に設けられる第２接触部と、第２半田接続部とを有する。前記絶縁性本体には、対向する第１、第２側を含む舌板が設けられる。前記第１端子の第１接触部が舌板の第１側から露出し、第２端子の第２接触部が舌板の第１側に配置される。
【考案の効果】
【０００７】
従来技術と比べると、本考案は以下の長所を有する。第１端子の第１接触部と第２端子の第２接触部が舌板の同じ側に配置される。これにより、相手プラグが挿入し易い。
【図面の簡単な説明】
【０００８】
【図１】本考案の電気コネクタの組立図である。
【図２】図１に示した電気コネクタを別の角度から見た組立図である。
【図３】図１に示した電気コネクタのハウジングを取り付けない時の斜視図である。
【図４】図１に示した電気コネクタの分解斜視図である。
【図５】図４に示した電気コネクタを別の角度から見た分解斜視図である。
【図６】図１に示した電気コネクタの分解斜視図である。
【図７】図６に示した電気コネクタを別の角度から見た分解斜視図である。
【考案を実施するための形態】
【０００９】
図１〜図７を参照すると、電気コネクタ１００は、第１絶縁性本体１１と第２絶縁性本体１２とを有する絶縁性本体１と、第１絶縁性本体１１に挿入される複数の第１端子２と、第２絶縁性本体１２に挿入される複数の第２端子３と、第１端子２と第２端子３とを位置決めするための位置決め部４と、第１絶縁性本体１１と第２絶縁性本体１２とを覆うハウジング５とを備える。
【００１０】
図６及び図７に示すように、第１絶縁性本体１１は、第１基部１３と、第１基部１３から突出する舌板１４とを備える。第１基部１３には、両対の固定柱１３１、１３２が設けられる。固定柱１３１、１３２の間には凹口１３３が形成される。舌板１４には、複数の凹所１４１と複数の端子溝１４２とが形成される。凹所１４１は、端子溝１４２より、舌板１４の前表面に位置する。
【００１１】
各第１端子２は、Ｌ字状の第１挿入部２１と、第１挿入部２１の前端に設けられる平板状の第１接触部２２と、第１挿入部２１から下向きに延在する第１半田接続部２３とを備える。
【００１２】
第２絶縁性本体１２は、第２基部１６と、第２基部１６から突出する支持部１７とを備える。第２基部１６の後部の両側には一対の固定部１６１が設けられる。図４に示すように、固定部１６１の前表面には、第１絶縁性本体１１の第１基部１３の凹口１３３と係合するための突出部片１６１０が設けられる。各固定部１６１には下向きに突出する耳部１６２が設けられる。各耳部１６２の内側には、位置決め部４を導入するための傾斜面１６４を含む係合部１６３が設けられる。一対の固定部１６１の間には開口部１６５が形成される。第２基部１６には、第２基部１６を貫通する複数の挿入溝１６６が形成される。第２基部１６には、前記挿入溝１６６と対応する複数の凹溝１６７が形成される。
【００１３】
各第２端子３は、Ｌ字状の第２挿入部３３と、第２挿入部３３の前端に設けられるドーム状の弾力第２接触部３２と、第２挿入部３１から下向きに延在する第２半田接続部３３とを備える。第２端子３の第２挿入部３１は、固持部３１２と固持部３１２から延在するビーム部３１１とを含む。固持部３１２は、水平部３１２１と垂直部３１２２とを有する。
【００１４】
位置決め部４には、複数の位置決め溝４２が形成される。位置決め部４の外表面には複数の突出部４１と、隣接する突出部４１の間に形成される複数の嵌合溝４５とが形成される。
【００１５】
ハウジング５は金属材料によって製造される。ハウジング５は、開口部５１が形成された底板５２を含む。
【００１６】
図２〜図５に示すように、電気コネクタ１００を取り付ける時、先ず、複数の第２端子３が第２絶縁性本体１２にインサートモールドによって挿入される。第２端子３の第２挿入部３１が第２絶縁性本体１２の挿入溝１６６に挿入される。第２端子３の第２挿入部３１の水平部３１２１が挿入溝１６６に固持される。第２端子３のビーム部３１１が挿入溝１６６から突出して第２絶縁性本体１２の支持部１７の上方に浮いた状態で配置される。第２端子３の第２挿入部３１の垂直部３１２２が第２基部１６の凹溝１６７に嵌合される。次に、第１端子２が第１絶縁性本体１１に挿入される。第１端子２の第１挿入部２１が第１絶縁性本体１１の舌板１４の第１側に挿入され、第１接触部２２が舌板１４の凹所１４１に嵌められる。第１絶縁性本体１１は第２絶縁性本体１２に取り付けられる。第２絶縁性本体１２の一対の固定部１６１が、第１絶縁性本体１１の凹口１３３に嵌入される。第２端子３の第２接触部３２が、第１絶縁性本体１１の端子溝１４２に浮いた状態で配置される。第２端子３のビーム部３１１が、舌板１４の端子溝１４２に浮いた状態で配置される。第２端子３の第２接触部３２が、相手プラグの挿入によって、端子溝１４２に向かって押圧される。第１端子２の第１接触部２２と第２端子３の第２接触部３２とは、舌板１４において異なる高度に位置するとともに、互いにオフセットしている。第１端子２の第１半田接続部２３は、第２絶縁性本体１２の開口部１６５に挿入され、第２端子３の第２半田接続部３３の後方に配置される。
【００１７】
位置決め部４が第２絶縁性本体１２の係合部１６３の傾斜面１６４の導入によって、開口部１６５に装入され、一対の係合部１６３の間に係合される。第１端子２の第１半田接続部２３が位置決め部４の嵌合溝４５に位置決めされる。ハウジング５は、第１、第２絶縁性本体１１、１２を遮蔽する。図２に示すように、ハウジング５の底板５２が第１絶縁性本体１１の舌板１４と第２絶縁性本体１２の支持部１７との間に配置される。第１、第２端子２、３の第１、第２半田接続部２３，３３は、ハウジング５の開口部５１から下向きに延在する。
【００１８】
第１端子２の第１接触部２２と第２端子３の第２接触部３２とが舌板１４の同じ側に配置される。これにより、相手プラグの挿入が容易になる。
【００１９】
以上、本考案について好ましい実施形態を参照して詳細に説明したが、実施形態はあくまでも例示的なものであり、これらに限定されるものではない。また、本考案に基づいて行われる細部の修正或いは変更などは、いずれも本考案の技術的範囲に属するものである。
【符号の説明】
【００２０】
１００  電気コネクタ
１  絶縁性本体
１１  第１絶縁性本体
１２  第２絶縁性本体
１３  第１基部
１３１、１３２  固定柱
１３３  凹口
１４  舌板
１４１  凹所
１４２  端子溝
１６  第２基部
１６１  固定部
１６１０  突出部片
１６２  耳部
１６３  係合部
１６４  傾斜面
１６５  開口部
１６６  挿入溝
１６７  凹溝
１７  支持部
２  第１端子
２１  第１挿入部
２２  第１接触部
２３  第１半田接続部
３  第２端子
３１  第２挿入部
３１１  ビーム部
３１２  固持部
３１２１  水平部
３１２２  垂直部
３２  第２接触部
３３  第２半田接続部
４  位置決め部
４１  突出部
４２  位置決め溝
４３  凸状部片
４４  係合部片
４５  嵌合溝
５  ハウジング
５１  開口部
５２  底板
【図１】
0003156063.tif 000003
【図２】
0003156063.tif 000004
【図３】
0003156063.tif 000005
【図４】
0003156063.tif 000006
【図５】
0003156063.tif 000007
【図６】
0003156063.tif 000008
【図７】
0003156063.tif 000009